(57)【特許請求の範囲】
【請求項１】
荷物の収容が可能な袋本体と、
該袋本体に収納される、所定の弾性および剛性を有する周回する形状のフレームと、
前記袋本体に対して使用者の肩に掛けられる位置に配置されているショルダーストラップと、
該ショルダーストラップの一端を支持するとともに、前記フレームの長手方向に沿って移動して前記袋本体に対する位置を変えるショルダーストラップ支持体と、
前記袋本体に対する前記ショルダーストラップ支持体の相対位置を変更する部材であって、当該袋本体の内部を通るように配置されており、前記使用者が当該背負バッグを背負った状態においても操作可能な調整部材と、
前記袋本体の内部に配置され、当該袋本体に対する前記ショルダーストラップ支持体の相対位置が変わるのを妨げる抵抗として機能するアンカー部材と、
前記袋本体の背面の裏側に形成された、前記フレームを収納するためのフレーム挿入部と、
を備え、
使用者の操作に応じて前記袋本体に対する前記ショルダーストラップ支持体の相対位置を調節可能としたことを特徴とする背負バッグ。
【請求項２】
前記調整部材は、前記アンカー部材を介して前記ショルダーストラップ支持体に接続されており、下端が前記袋本体の底部所定箇所から引き出された紐状の引っ張り部材を含むことを特徴とする請求項１に記載の背負バッグ。
【請求項３】
前記調整部材は、前記引っ張り部材に引っ張られて位置を変えた前記アンカー部材を、該引っ張り部材に引っ張られた方向とは逆に変位させるリリース部材をさらに含むことを特徴とする請求項２に記載の背負バッグ。
【請求項４】
前記アンカー部材は、前記袋本体の荷物収容スペースと背面との間に配置されていることを特徴とする請求項３に記載の背負バッグ。
【請求項５】
前記調整部材が、前記袋本体の荷物収容スペースと背面との間を通るように配置されていることを特徴とする請求項４に記載の背負バッグ。
【請求項６】
前記アンカー部材は前記フレームに直接または間接的に接続されていることを特徴とする請求項５に記載の背負バッグ。
【請求項７】
前記紐状の引っ張り部材上をスライド可能であって任意の箇所で該引っ張り部材に係止した状態となり前記底部所定箇所に引っ掛かるストッパ部材をさらに含むことを特徴とする請求項６に記載の背負バッグ。
【発明の詳細な説明】
【技術分野】
【０００１】
本発明は、背負バッグに関する。さらに詳述すると、本発明は、使用者の両肩に背負われる形式の背負バッグの構造の改良に関する。
【背景技術】
【０００２】
バックパックなどの背負バッグは通常、使用者の肩に掛けられる一対のショルダーストラップを介して使用者の背中に背負われるようになっている。特に、登山やハイキングに好適な背負バッグは、比較的大容量の袋本体を有し、比較的大きな重量の荷物内容物を袋本体に収納した状態で長時間使用者が背負う場合が多い。また、使用者が、このような荷物を背負った状態で歩行し、または急勾配を登ったり降りたりするようなこともある。
【０００３】
このようにバックパックなどを背負って歩行したり登り降りしたりする場合、背負った荷物の荷重が均一に使用者の肩から背中に作用するのが望ましく、尚かつその状態が使用者の移動および運動中においても維持されることが望ましい。一方で、使用者の背中と背負バッグとの間に隙間があるような状態だと、背負バッグとの一体感が得られにくいばかりでなく、荷物が左右に振れやすいため安定性に欠けるという問題が生じる。
【０００４】
これに対し、従来、背面長（一例として、背負う人の腰骨から首の付け根までの長さ）の調整を可能とし、必要に応じて当該背面長を短くすることによって背中と背負バッグとの隙間をなくすことができるようにした背負バッグが提案されている。このような背負バッグとしては、例えば、はしご状に配置したテープを通すことで背面長の長さを調整することができるようにしたものなどがある（特許文献１参照）。また、背面長の長さを調整するためのパーツを備えているものもある（例えば特許文献２参照）。
【先行技術文献】
【特許文献】
【０００５】
【特許文献１】特許第３２８９７３１号公報
【特許文献２】特許第４１３０６３３号公報
【発明の概要】
【発明が解決しようとする課題】
【０００６】
しかしながら、特許文献１に記載のごとき背負バッグは、当該背負バッグを背負ったままでは背面長の調整をすることができないものであり、背面長を調整するのに時間と手間を要する。また、この背負バッグにおいては、背面長を無段階調整することもできない。背面長の調整が難しいと、使用者にとってみれば当該背負バッグの袋本体との一体感が得られにくく、歩行等の際に荷物が左右に振れやすくなって安定性が低くなりがちである。
【０００７】
また、特許文献２に記載のごとき背負バッグは、背面長を調整するためのパーツが露出しているので、見た目がすっきりしていない。
【０００８】
そこで、本発明は、当該背負バッグを背負ったままで背面長の調整をすることで袋本体との一体感を得ることができ、尚かつすっきりした外観をもつ背負バッグを提供することを目的とする。
【課題を解決するための手段】
【０００９】
かかる課題を解決するべく、本発明に係る背負バッグは、
荷物の収容が可能な袋本体と、
該袋本体に対して使用者の肩に掛けられる位置に配置されているショルダーストラップと、
該ショルダーストラップの一端を支持するとともに、袋本体に対する位置が可変であるショルダーストラップ支持体と、
袋本体に対するショルダーストラップ支持体の相対位置を変更する部材であって、当該袋本体の内部を通るように配置されており、使用者が当該背負バッグを背負った状態においても操作可能な調整部材と、
袋本体の内部に配置され、当該袋本体に対するショルダーストラップ支持体の相対位置が変わるのを妨げる抵抗として機能するアンカー部材と、
を備え、
使用者の操作に応じて袋本体に対するショルダーストラップ支持体の相対位置を調節可能としたことを特徴とする。
【００１０】
本発明によれば、使用者が調整部材を利用してショルダーストラップ支持体の袋本体に対する相対位置を下方へと変化させると、当該ショルダーストラップ支持体に支持されたショルダーストラップが袋本体のほうへと引っ張られる。このように、ショルダーストラップが袋本体のほうへと引っ張られると、袋本体を引き上げようとする力が作用し、この結果、袋本体の背面（使用者の背中に接する側）や当該ショルダーストラップが使用者の身体（背中、肩）に徐々に密着していく。そうして袋本体が使用者の背中に接近し、当該袋本体との間に生じていた隙間が少なくなるか、またはなくなると、使用者にとってみれば当該背負バッグの袋本体との一体感が得られやすくなり、また、歩行等の際に荷物が左右に振れるのが低減して安定性が向上する。
【００１１】
しかも、本発明に係る背負バッグは、袋本体に対するショルダーストラップ支持体の相対位置が変わるのを妨げる抵抗として機能するアンカー部材を備えていることから、上記のようにして得られた袋本体との一体感を維持しやすい。また、アンカー部材が袋本体の内部に配置されていることから、当該アンカー部材に外力が加わりにくく、意図しない操作、外来の故障や誤作動を少なくすることができる。さらには、上記の構成により、耐久性の向上、背負い心地の向上といった利点も得られる。
【００１２】
また、この背負バッグによると、使用者は、当該背負バッグを背負った状態で調整部材を操作することができる。したがって、当該背負バッグを背負ったまま、背面長を調整することが可能となっている。一方、上述のような、はしご状に配置したテープを通すことで背面長の長さを調整するといった構造の従来の背負バッグでは、背面長を調整しようとする度に背負バッグを背中から降ろし、調整後、再び背負ってみて調整具合を確かめ、具合がよくなければ調整し直すといったように手間がかかる。しかも、背面長を無段階調整することができないことから、調整の精度が必ずしも高いわけではない。
【００１３】
本発明に係る背負バッグにおいて、調整部材は、アンカー部材を介してショルダーストラップ支持体に接続されており、下端が袋本体の底部所定箇所から引き出された紐状の引っ張り部材を含むことが好ましい。
【００１４】
また、調整部材は、引っ張り部材に引っ張られて位置を変えたアンカー部材を、該引っ張り部材に引っ張られた方向とは逆に変位させるリリース部材をさらに含むことが好ましい。
【００１５】
さらに、アンカー部材は、袋本体の荷物収容スペースと背面との間に配置されていることが好ましい。
【００１６】
また、調整部材が、袋本体の荷物収容スペースと背面との間を通るように配置されていることが好ましい。
【００１７】
さらに、当該背負バッグは骨格となるフレームを有しており、アンカー部材はフレームに直接または間接的に接続されていることが好ましい。
【００１８】
また、背負バッグが、紐状体上をスライド可能であって任意の箇所で該紐状体に係止した状態となり底部所定箇所に引っ掛かるストッパ部材をさらに含むことも好ましい。
【発明の効果】
【００１９】
本発明によれば、当該背負バッグを背負ったままで背面長の調整をすることで袋本体との一体感を得ることができ、尚かつすっきりした外観をもつ背負バッグを提供することができる。
【図面の簡単な説明】
【００２０】
【図１】本発明を適用した背負バッグの一例を示す、使用者に背負われた状態の側面図である。
【図２】調整部材で背面長を調整する際の状態を示す背負バッグの側面図である。
【図３】調整部材で背面長を調整した後の状態を示す背負バッグの側面図である。
【図４】背負バッグに内蔵されるフレーム、調整部材等の構成例を示す斜視図である。
【図５】図１の一部を拡大してより詳細に示す図である。
【図６】図３の一部を拡大してより詳細に示す図である。
【図７】アンカー部材等を拡大して示す正面図である。
【発明を実施するための形態】
【００２１】
以下、本発明の構成を図面に示す実施の形態の一例に基づいて詳細に説明する。
【００２２】
図１〜図７に本発明にかかる背負バッグの一実施形態を示す。以下では、一例としてバックパックに本発明を適用した場合を例示して説明する。本実施形態のバックパック１は、袋本体２、ショルダーストラップ３、調整部材１０などを備えている（図１等参照）。
【００２３】
袋本体２は、通常、天然繊維もしくは合成繊維の織布または不織布によって構成されるもので、適当な可撓性ならびに剛性を有している。本実施形態の袋本体２は全体として有底袋状に形成され、その上部には蓋体（図示省略）が装着されるようになっている。袋本体２の背面（使用者の背中に接する側）２６は使用者の背中に合わせて略平坦に形成され、該背中への接触感を高めるクッション材２７が全面または一部に適宜配置されている。袋本体２の背面２６の裏側には、フレーム４を収納するためのフレーム挿入部２２が形成されている。また、この背面２６には左右一対のショルダーストラップ３が配置される。さらに、袋本体２の上部所定箇所２Ａには、上側紐状体１５を通す鳩目（アイレット）２３が設けられ、底部所定箇所２Ｂには、上側紐状体１５を通す鳩目（アイレット）２４が設けられている。特に図示していないが、これら鳩目２３，２４には丸金具などが適宜設けられていてもよい。
【００２４】
ショルダーストラップ３は、左右対称構造であり、左右それぞれがショルダーストラップ支持体３５に取り付けられた状態となって全体としてＶ字状となっている（図３参照）。ショルダーストラップ３にはループ部３ａが形成されており、該ループ部３ａに上ウェビング５が摺動可能な状態で通されている。
【００２５】
ショルダーストラップ支持体３５は、フレーム４の長手方向へ摺動可能となっており、例えば使用者が当該バックパック１を背負った状態でベルト部材１３が引っ張られると、フレーム４に沿って下方へ移動するようになっている（図４参照）。本実施形態のショルダーストラップ支持体３５においては、当該ショルダーストラップ支持体３５の端部（使用者がバックパック１を背負った状態で下端となる部分）またはその近傍にはフレーム４を通すための帯部３６が取り付けられ、該帯部３６と当該ショルダーストラップ支持体３５との間にフレーム４が通された状態となっている（図４参照）。
【００２６】
フレーム４は、当該バックパック１の全体形状が維持されるように骨格を形成しているもので、所定の弾性および剛性を有する金属材料を所定形状に周回させた形状となっている（図３参照）。該フレーム４は、袋本体２の背面２６に形成されている上述のフレーム挿入部２２に挿入される。フレーム４の材料は、適度な強度と剛性、および可撓性を有する例えばアルミニウム製のロッド、ワイヤーもしくはパイプがあげられるが、これらに限定されることはない。このようなフレーム４は、構造的な強度および剛性を袋本体２の背面２６に与えており、さらに適度な可撓性を発揮することで使用者の背中の形状にフレーム４自体を合致させ、且つその位置を保持することが可能である。材質によっては、使用者が、なんら特別な器具を使用することなく、手で当該フレーム４の形状を調節して自分の背中に適合させることも可能である。この場合のフレーム４の調整は、該フレーム４が袋本体２内に配置された状態で行うこともできるが、フレーム４を袋本体２から容易に取り出すように構成すれば、その調整をより容易なものとすることもできる。
【００２７】
上ウェビング５は、ショルダーストラップ３に対してずれるように摺動することにより、該ショルダーストラップ３の長手方向に相対移動可能である。該上ウェビング５の一端はフレーム４に取り付けられている。また、上ウェビング５の他端は、バックル６を通過したうえで折り返され、ショルダーストラップ３の端部に固着されている。バックル６には、別のウェビング（下ウェビング）７が取り付けられている。
【００２８】
下ウェビング７は、バックル６を介して、上ウェビング５の他端と袋本体２とを繋ぐ部材である。下ウェビング７の一端は、バックル６で折り返されて通常は係止した状態となっている一方で、該バックル６に対し該下ウェビング７を引き出したり押し込んだりして緩めれば位置をずらして当該下ウェビング７の長さ調整をすることが可能となっている。また、下ウェビング７の他端は、フレーム４の下部に固着されている（図３、図４参照）。当該下ウェビング７の他端は、フレーム４にではなく袋本体２の所定箇所に縫い込まれる等して固着されていてもよい。
【００２９】
上述のように、本実施形態のショルダーストラップ３は、上ウェビング５、下ウェビング７およびショルダーストラップ支持体３５を介してフレーム４に連結されているが（図３参照）、この他、例えばフレームのない構造のバックパック１であれば当該ショルダーストラップ３が上ウェビング５、下ウェビング７を介して袋本体２の左右所定箇所に連結されていてもよい。いずれの場合も、各ショルダーストラップ３は袋本体２の背面２６の左右対称位置に配置され、使用者の肩に吊り下げるなどして掛けられるようになっている。
【００３０】
調整部材１０は、袋本体２の上部所定箇所（本実施形態の場合、鳩目２３が設けられた位置）２Ａから底部所定箇所（本実施形態の場合、鳩目２４が設けられた位置）２Ｂまでの長さ（背面長）を規制する部材である。本実施形態では、このような調整部材１０を、ストッパ部材１２、ベルト部材１３、バックル１４、上側紐状体１５によって構成している（図３〜図５参照）。
【００３１】
ベルト部材１３は、その一端が鳩目２４から外へ引き出されており、使用者が当該バックパック１を背負った状態で操作することが可能となっているものである（図１参照）。このベルト部材１３をはじめ、調整部材１０を構成する上側紐状体１５は、伸縮性に乏しいものまたは伸縮しないものであることが好ましい。ベルト部材１３の具体的形状は特に限定されるものではなく、テープ状、ベルト状のような断面が扁平したものはもちろん、断面が丸いもの等であってもよい。
【００３２】
また、ベルト部材１３は、バックル１４を通して折り返されたうえで、その他端が袋本体２の内部の底付近に固定されている（図２等参照）。なお、ベルト部材１３は、幅が異なる２種類のベルトが繋がれ、途中で幅が変わるものであってもよい（図４参照）。
【００３３】
ストッパ部材１２は、鳩目２４より大きく、当該鳩目２４に引っ掛かって、ベルト部材１３の少なくとも一部が鳩目２４から出た状態を維持する。本実施形態では、ベルト部材１３の先端部分を折り返し、重ねて縫い付けることによってループを形成し、当該部分がストッパ部材１２として機能するようにしている。ループの代わりに、ベルト部材１３を折り重ねた部分をストッパ部材１２としてもよい。あるいは、ベルト部材１３に沿ってスライド可能で、任意の箇所で該ベルト部材１３に係止した状態となる部材をストッパ部材１２としてもよい。要は、可動であると不動であるとにかかわらず、鳩目２４から抜きでない程度の大きさのストッパが形成されていればよい。
【００３４】
バックル１４は、フレーム４に対して直接または間接的に取り付けられており、ベルト部材１３が引っ張られた際の動きを上側紐状体１５に伝達するアンカー部材として機能する（図７等参照）。本実施形態のバックル１４は、取り付け用ベルト１６により、ショルダーストラップ支持体３５の下縁に接続され、別の取り付け用ベルト１７により、袋本体２の底部付近に接続されている（図１等参照）。
【００３５】
上側紐状体１５は、バックル１４と袋本体２の上部所定箇所２Ａとの間に設けられている部材である。この上側紐状体１５の上端部は、例えば袋本体２の上部所定箇所２Ａに設けられた鳩目２３に通されてから結び目が設けられるなどして上部所定箇所２Ａに固定されている。上側紐状体１５には、輪状の二重紐を用いてもよい（図３等参照）。
【００３６】
本実施形態の調整部材１０のうち、ベルト部材１３の一部、バックル１４、上側紐状体１５の大部分は、袋本体２のフレーム挿入部２２内に配置されている。なお、これは調整部材１０の好適な配置例にすぎず、他の構成とすることもできるが、いずれの場合にも、本実施形態におけるように袋本体２の荷物収容スペース２５と背面２６との間を通過するように調整部材１０が配置されていることが好ましい。
【００３７】
このようなバックパック１において、調整部材１０を利用した場合の各部材の動きについて説明する（図１、図２等参照）。
【００３８】
使用者がバックパック１を背負った状態において、使用者の背中の大きさ（長さ）とバックパック１の背面２６の長さ（背面長）との違いが大きい場合に、当該使用者の背中とバックパック１との間に隙間（図１において符号Ｓで示す）が生じ、使用時における不具合や違和感の原因となることがある（なお、このような不具合や違和感は、荷物収容スペース２５内に重い荷物が収容されていれば相乗的に感じられることもある）。このように使用者の背中とバックパック１との間に隙間Ｓがある状態だと、使用者にとってみればバックパック１の一体感が得られにくく、また、歩行等の際に荷物が左右に振れやすいため安定性に欠ける。
【００３９】
このような状態で、使用者は、背後に手を回し、調整部材１０を利用して当該バックパック１の背面長を調整することができる。背面長は、バックパック１のサイズや形状等によって異なるが、本明細書においては当該バックパック１のショルダーストラップ支持体３５に対するショルダーストラップ３の取付け箇所（付け根）から、底部所定箇所２Ｂまでの長さをいう。
【００４０】
より詳細な例を挙げて説明すると、使用者がベルト部材１３を袋本体２から引っ張り出すと、所望量が鳩目２４から引き出され、これに伴ってベルト部材１３が下方に引っ張られる（図２参照）。このようにベルト部材１３が下方へと引っ張られると、これに伴ってショルダーストラップ支持体３５がフレーム４に沿って下方へと移動し、併せて、ショルダーストラップ３が袋本体２のほうへと引っ張られる。また、フレーム４に沿って下方へと移動したショルダーストラップ支持体３５は、バックル１４の作用（動き）により、上には戻らない（図６等参照）。より具体的には、フレーム挿入部２２中においてバックル１４が動きの抵抗となる主部材（ロックパーツのメイン）となり、ショルダーストラップ支持体３５が上方に戻ろうとする動きの妨げとなる。
【００４１】
なお、ストッパ部材１２が、ベルト部材１３に沿ってスライド可能であって任意の箇所でベルト部材１３に係止した状態となる部材である場合、使用者は、以上のように鳩目２４からベルト部材１３を所望量引き出したところで、該ベルト部材１３の所望位置をストッパ部材１２で係止させることができる。上述したように、バックル１４がショルダーストラップ支持体３５の動きの抵抗となる部材（ロックパーツ）として機能するが、この場合のストッパ部材１２は、ショルダーストラップ支持体３５の動きをさらに妨げる、補助的な抵抗部材（ダブルロック部材）として機能しうる。
【００４２】
当初の状態（調整部材１０により調整する前の状態）では、荷物収容スペース２５内に収容されている荷物の荷重や当該バックパック１の自重等は、主としてショルダーストラップ３に吊り下がった状態で支持されている（図１参照）。このとき、上述したように使用者の背中とバックパック１との間に隙間Ｓが生じていると、使用時における不具合や違和感の原因となりうる。このような場合に、鳩目２４からベルト部材１３を引っ張り出すと、ショルダーストラップ支持体３５をフレーム４に沿って下方へと移動させ、併せて、ショルダーストラップ３を袋本体２のほうへと引っ張ることができる。このようにしてショルダーストラップ支持体３５が下方へと移動し、ショルダーストラップ３が袋本体２のほうへと引っ張られると、袋本体２の背面（使用者の背中に接する側）２６やショルダーストラップ３が使用者の身体に徐々に密着していく。これらの結果、バックパック１が使用者の背中に接近し、当該バックパック１との間に生じていた隙間Ｓが少なくなるか、またはなくなる（図２参照）。そうすると、使用者にとってみればバックパック１の袋本体２との一体感が得られやすくなり、また、歩行等の際に荷物が左右に振れるのが低減して安定性が向上する。なお、上述のようにベルト部材１３を引っ張り出し、ショルダーストラップ支持体３５を下方へと移動させるとともにショルダーストラップ３を袋本体２のほうへと引っ張ると、背面長（本実施形態の場合、当該バックパック１のショルダーストラップ支持体３５に対するショルダーストラップ３の取付け箇所（付け根）から、底部所定箇所２Ｂまでの長さ）が短くなる。
【００４３】
このバックパック１によれば、上記のごとく隙間Ｓを少なくして袋本体２との一体感を高めるための調整を、使用者が当該バックパック１を背負ったままで行うことができる。したがって、当該長さを調整しようとする度にバックパック１を背中から降ろし、調整後、再び背負ってみて調整具合を確かめ、具合がよくなければ調整し直すといったような手間をかけずに、調整を簡単かつ短時間で、しかも精度よく行うことができる。
【００４４】
また、本実施形態のバックパック１において、隙間Ｓをなくして一体感を高めるという調整を行うための調整部材１０のパーツが少ないことから、長さ調整のためのパーツを備えることによる嵩張りや重量増大の問題が生じづらい。このため、計量化、コスト低減の観点からも好ましい。一方、従来の背負バッグにおいては、背面長の調整をするために例えばラチェットバックル等を利用しており、バーツが大きかったり、計量化が図られてなかったりといった点で課題が残っている。
【００４５】
また、本実施形態のバックパック１においては、隙間Ｓをなくして一体感を高めるという調整を行った後、上側紐状体１５を上側に引っ張るという操作をすれば、ショルダーストラップ支持体３５およびショルダーストラップ３がバックル１４を介してベルト部材１３によって引っ張られていた状態を解除する（リリースする）ことができる。このようなリリース操作をした場合、袋本体２の背面（使用者の背中に接する側）２６やショルダーストラップ３が使用者の身体に密着していた状態が解除される。要は、本実施形態のバックパック１においては、ベルト部材１３を下に引っ張ることによってバックル１４、ショルダーストラップ支持体３５、ショルダーストラップ３を引き下げ、袋本体２を使用者の背中側に引き寄せることができ、また、上側紐状体１５によってこれらバックル１４等を引き上げ、袋本体２が使用者の背中側に引き寄せられた状態を解除することができる。しかも、このリリース操作は、長さ調整時の操作と同様、使用者がバックパック１を背負いながら行うことができるものである。
【００４６】
また、本実施形態のバックパック１においては、調整部材１０が、袋本体２の荷物収容スペース２５と背面２６との間を通過するように配置されており、その多くの部分が外部に飛び出していない構造であるため、バックパック全体の外観がすっきりして麗しいものとなっている。しかも、このような調整部材１０は、当該バックパック１と使用者の背中とが密着することでさらに抑えられた状態となり、バックル１４が移動しにくくなるので、歩行等の際の振動によっても緩みにくい。しかも、当該バックル１４は荷物収容スペース２５と背面２６との間に配置され、外部に露出していないことから、外力が加わりにくく、意図しない操作、外来の故障や誤作動が減る。
【００４７】
なお、上述の実施形態は本発明の好適な実施の一例ではあるがこれに限定されるものではなく本発明の要旨を逸脱しない範囲において種々変形実施可能である。例えば、上述した実施形態では、フレーム４に対してバックル１４はいわばフリーな状態となっていたが、これとは逆に、バックル１４を直接または間接的にフレーム４に接続した構造としてもよい。例示すれば、ベルト部材１３の上端を延長しておき、バックル１４で折り返した先をフレーム４に取り付ける等してもよい。このように、調整部材１０を構成するベルト部材１３等をフレーム４に対して直接あるいは間接的に取り付けた構造のバックパック１によれば、荷物が安定する。すなわち、ベルト部材１３をフレーム４に接続すると、上ウェビング５との絡みで、調整部材１０の上下からフレーム４が使用者の背中へしっかりと固定される効果が生じ、そのフレーム４によって袋本体２が支えられているので、袋本体２もフレーム４を介して調整部材１０へ、調整部材１０を介して使用者へ、しっかり固定されるようになるからである。なお、ベルト部材１３の延長した先端を袋本体２に接続した場合にも同様の効果を得ることが可能である。
【００４８】
また、上述した実施形態では、ベルト部材１３の上端部が直接または間接的に接続されたバックル（アンカー部材）１４と、下端部が該バックル（アンカー部材）１４に接続され、上端部が袋本体２の上部所定箇所２Ａに通された上側紐状体１５とについて説明したが（図３等参照）、上記説明で述べた「上端部」、「下端部」は厳密な意味での端部には限らない。すなわち、例えば、端部から先にも紐が続いているような状態もあり得るが、本発明の作用効果を奏するための機能に着目して考えれば、同様の構成であれば、端部から先に紐が続いている背負バッグ１も本発明に含まれると考えるべきである。
【００４９】
また、調整部材１０を構成するバックル１４等は一例として樹脂製であるが、材質が特に限定されることはなく、金属製等とすることもできる。また、これら部材の形状が特に限定されることもなく、図示した例ばかりでなくそれ以外の形状とすることができる。要は、バックル（アンカー部材）１４は、バックパック１の内部において、ショルダーストラップ支持体３５の余計な動きの妨げとなる抵抗部材（ロックパーツ）として機能するものであれば、その具体的形状が特に限定されることはない。
【００５０】
また、本実施形態では特に説明しなかったが、バックパック（背負バッグ）１は、袋本体２の下端部をより確実に使用者に密着して固定するためのヒップベルト等を備えていてもよい。ヒップベルトは、例えば、その中央が使用者の脊柱の下部近傍位置と合致するように構成される等する。
【００５１】
また、本実施形態では、背負バッグの一例としてバックパックに本発明を適用した例について説明したが、本発明はこれに限定されることなく、いわゆるナップサック、リュックサックと称されるような背負バッグにも適応することが可能である。
【産業上の利用可能性】
【００５２】
本発明は、バックパックをはじめ、使用者の両肩に背負われる形式の背負バッグに適用して好適である。
【符号の説明】
【００５３】
１…バックパック（背負バッグ）
２…袋本体
２Ｂ…底部所定箇所
３…ショルダーストラップ
４…フレーム
１０…調整部材
１２…ストッパ部材
１３…ベルト部材（引っ張り部材）
１４…バックル（アンカー部材）
１５…上側紐状体（リリース部材）
３５…ショルダーストラップ支持体
【図１】
0006523031.tif 000002
【図２】
0006523031.tif 000003
【図３】
0006523031.tif 000004
【図４】
0006523031.tif 000005
【図５】
0006523031.tif 000006
【図６】
0006523031.tif 000007
【図７】
0006523031.tif 000008